【手続補正書】
【提出日】平成28年1月27日(2016.1.27)
【手続補正１】
【補正対象書類名】特許請求の範囲
【補正対象項目名】全文
【補正方法】変更
【補正の内容】
【特許請求の範囲】
【請求項１】
第１の露光条件で撮影された広角画像に基づいて、前記広角画像から特定領域を検出する検出部と、
前記特定領域に基づいて、前記第１の露光条件とは異なる第２の露光条件を決定する制御部と、
前記特定領域を被写体とし、前記第２の露光条件で撮影された、前記広角画像よりも画角の狭い狭角画像と、前記広角画像とを合成して合成画像を生成する画像合成部と
を備える画像処理装置。
【請求項２】
前記画像合成部は、連続して撮影された複数の前記狭角画像と、前記広角画像とを合成して前記合成画像を生成する
請求項１に記載の画像処理装置。
【請求項３】
前記画像合成部は、前記複数の前記狭角画像に対して動き補償を行い、前記動き補償により得られた前記狭角画像と前記広角画像とを合成する
請求項２に記載の画像処理装置。
【請求項４】
前記制御部は、前記特定領域の検出結果に基づいて、前記狭角画像を撮影する撮影部の画素領域における前記狭角画像の撮影に用いる領域を決定する
請求項２または請求項３に記載の画像処理装置。
【請求項５】
前記制御部は、前記第２の露光条件に基づいて、前記狭角画像を撮影する撮影部または前記被写体に照射される照明光を出力する光源を制御する
請求項１乃至請求項４の何れか一項に記載の画像処理装置。
【請求項６】
前記制御部は、前記広角画像の撮影時および前記狭角画像の撮影時において、同一の光源から出力された照明光により前記被写体が照明されるように前記光源を制御する
請求項１乃至請求項５の何れか一項に記載の画像処理装置。
【請求項７】
前記第２の露光条件は、前記狭角画像における前記特定領域の画素が飽和しない条件とされる
請求項１乃至請求項６の何れか一項に記載の画像処理装置。
【請求項８】
第１の露光条件で撮影された眼底の広角画像に基づいて、前記眼底の広角画像から前記眼底の特定領域を検出する検出部と、
前記眼底の特定領域に基づいて、前記第１の露光条件とは異なる第２の露光条件を決定する制御部と、
前記眼底の特定領域を被写体とし、前記第２の露光条件で撮影された、前記広角画像よりも画角の狭い狭角画像と、前記広角画像とを合成して合成画像を生成する画像合成部と
を備える眼底画像処理装置。
【請求項９】
前記眼底の特定領域は、視神経乳頭の領域とされる
請求項８に記載の眼底画像処理装置。
【請求項１０】
第１の露光条件で撮影された広角画像に基づいて、前記広角画像から特定領域を検出し、
前記特定領域に基づいて、前記第１の露光条件とは異なる第２の露光条件を決定し、
前記特定領域を被写体とし、前記第２の露光条件で撮影された、前記広角画像よりも画角の狭い狭角画像と、前記広角画像とを合成して合成画像を生成する
ステップを含む画像処理方法。
【請求項１１】
第１の露光条件で眼底の広角画像を撮影するとともに、前記眼底の特定領域を被写体とし、前記広角画像よりも画角の狭い狭角画像を前記第１の露光条件とは異なる第２の露光条件で撮影する撮影部と、
前記広角画像に基づいて、前記広角画像から前記眼底の特定領域を検出する検出部と、
前記眼底の特定領域に基づいて、前記第２の露光条件を決定する制御部と、
前記狭角画像と前記広角画像とを合成して合成画像を生成する画像合成部と
を備える眼底画像撮影装置。
【請求項１２】
前記眼底の特定領域は、視神経乳頭の領域とされる
請求項１１に記載の眼底画像撮影装置。
【手続補正２】
【補正対象書類名】明細書
【補正対象項目名】発明の名称
【補正方法】変更
【補正の内容】
【発明の名称】画像処理装置および方法、眼底画像処理装置、並びに眼底画像撮影装置
【手続補正３】
【補正対象書類名】明細書
【補正対象項目名】０００１
【補正方法】変更
【補正の内容】
【０００１】
本技術は画像処理装置および方法、眼底画像処理装置、並びに眼底画像撮影装置に関し、特に、より高品質な画像を得ることができるようにした画像処理装置および方法、眼底画像処理装置、並びに眼底画像撮影装置に関する。
【手続補正４】
【補正対象書類名】明細書
【補正対象項目名】００１２
【補正方法】変更
【補正の内容】
【００１２】
本技術の第１の側面の画像処理装置は、第１の露光条件で撮影された広角画像に基づいて、前記広角画像から特定領域を検出する検出部と、前記特定領域に基づいて、前記第１の露光条件とは異なる第２の露光条件を決定する制御部と、前記特定領域を被写体とし、前記第２の露光条件で撮影された、前記広角画像よりも画角の狭い狭角画像と、前記広角画像とを合成して合成画像を生成する画像合成部とを備える。
【手続補正５】
【補正対象書類名】明細書
【補正対象項目名】００１６
【補正方法】変更
【補正の内容】
【００１６】
前記制御部には、前記第２の露光条件に基づいて、前記狭角画像を撮影する撮影部または前記被写体に照射される照明光を出力する光源を制御させることができる。
【手続補正６】
【補正対象書類名】明細書
【補正対象項目名】００１８
【補正方法】変更
【補正の内容】
【００１８】
前記第２の露光条件を、前記狭角画像における前記特定領域の画素が飽和しない条件とすることができる。
【手続補正７】
【補正対象書類名】明細書
【補正対象項目名】００１９
【補正方法】変更
【補正の内容】
【００１９】
本技術の第１の側面においては、第１の露光条件で撮影された広角画像に基づいて、前記広角画像から特定領域が検出され、前記特定領域に基づいて、前記第１の露光条件とは異なる第２の露光条件が決定され、前記特定領域を被写体とし、前記第２の露光条件で撮影された、前記広角画像よりも画角の狭い狭角画像と、前記広角画像とが合成されて合成画像が生成される。
【手続補正８】
【補正対象書類名】明細書
【補正対象項目名】００２０
【補正方法】変更
【補正の内容】
【００２０】
本技術の第２の側面の眼底画像処理装置は、第１の露光条件で撮影された眼底の広角画像に基づいて、前記眼底の広角画像から前記眼底の特定領域を検出する検出部と、前記眼底の特定領域に基づいて、前記第１の露光条件とは異なる第２の露光条件を決定する制御部と、前記眼底の特定領域を被写体とし、前記第２の露光条件で撮影された、前記広角画像よりも画角の狭い狭角画像と、前記広角画像とを合成して合成画像を生成する画像合成部とを備える。
【手続補正９】
【補正対象書類名】明細書
【補正対象項目名】００２２
【補正方法】変更
【補正の内容】
【００２２】
本技術の第２の側面においては、第１の露光条件で撮影された眼底の広角画像に基づいて、前記眼底の広角画像から前記眼底の特定領域が検出され、前記眼底の特定領域に基づいて、前記第１の露光条件とは異なる第２の露光条件が決定され、前記眼底の特定領域を被写体とし、前記第２の露光条件で撮影された、前記広角画像よりも画角の狭い狭角画像と、前記広角画像とが合成されて合成画像が生成される。
【手続補正１０】
【補正対象書類名】明細書
【補正対象項目名】００２３
【補正方法】変更
【補正の内容】
【００２３】
本技術の第３の側面の画像処理方法は、第１の露光条件で撮影された広角画像に基づいて、前記広角画像から特定領域を検出し、前記特定領域に基づいて、前記第１の露光条件とは異なる第２の露光条件を決定し、前記特定領域を被写体とし、前記第２の露光条件で撮影された、前記広角画像よりも画角の狭い狭角画像と、前記広角画像とを合成して合成画像を生成するステップを含む。
【手続補正１１】
【補正対象書類名】明細書
【補正対象項目名】００２４
【補正方法】変更
【補正の内容】
【００２４】
本技術の第３の側面においては、第１の露光条件で撮影された広角画像に基づいて、前記広角画像から特定領域が検出され、前記特定領域に基づいて、前記第１の露光条件とは異なる第２の露光条件が決定され、前記特定領域を被写体とし、前記第２の露光条件で撮影された、前記広角画像よりも画角の狭い狭角画像と、前記広角画像とが合成されて合成画像が生成される。
【手続補正１２】
【補正対象書類名】明細書
【補正対象項目名】００２５
【補正方法】削除
【補正の内容】
【手続補正１３】
【補正対象書類名】明細書
【補正対象項目名】００２６
【補正方法】削除
【補正の内容】
【手続補正１４】
【補正対象書類名】明細書
【補正対象項目名】００２７
【補正方法】削除
【補正の内容】
【手続補正１５】
【補正対象書類名】明細書
【補正対象項目名】００２８
【補正方法】削除
【補正の内容】
【手続補正１６】
【補正対象書類名】明細書
【補正対象項目名】００２９
【補正方法】削除
【補正の内容】
【手続補正１７】
【補正対象書類名】明細書
【補正対象項目名】００３０
【補正方法】削除
【補正の内容】
【手続補正１８】
【補正対象書類名】明細書
【補正対象項目名】００３１
【補正方法】削除
【補正の内容】
【手続補正１９】
【補正対象書類名】明細書
【補正対象項目名】００３２
【補正方法】削除
【補正の内容】
【手続補正２０】
【補正対象書類名】明細書
【補正対象項目名】００３３
【補正方法】削除
【補正の内容】
【手続補正２１】
【補正対象書類名】明細書
【補正対象項目名】００３４
【補正方法】削除
【補正の内容】
【手続補正２２】
【補正対象書類名】明細書
【補正対象項目名】００３５
【補正方法】変更
【補正の内容】
【００３５】
本技術の第４の側面の眼底画像撮影装置は、第１の露光条件で眼底の広角画像を撮影するとともに、前記眼底の特定領域を被写体とし、前記広角画像よりも画角の狭い狭角画像を前記第１の露光条件とは異なる第２の露光条件で撮影する撮影部と、前記広角画像に基づいて、前記広角画像から前記眼底の特定領域を検出する検出部と、前記眼底の特定領域に基づいて、前記第２の露光条件を決定する制御部と、前記狭角画像と前記広角画像とを合成して合成画像を生成する画像合成部とを備える。
前記眼底の特定領域を、視神経乳頭の領域とすることができる。
【手続補正２３】
【補正対象書類名】明細書
【補正対象項目名】００３６
【補正方法】変更
【補正の内容】
【００３６】
本技術の第４の側面においては、第１の露光条件で眼底の広角画像が撮影されるとともに、前記眼底の特定領域を被写体とし、前記広角画像よりも画角の狭い狭角画像が前記第１の露光条件とは異なる第２の露光条件で撮影され、前記広角画像に基づいて、前記広角画像から前記眼底の特定領域が検出され、前記眼底の特定領域に基づいて、前記第２の露光条件が決定され、前記狭角画像と前記広角画像とが合成されて合成画像が生成される。
【手続補正２４】
【補正対象書類名】明細書
【補正対象項目名】００３７
【補正方法】変更
【補正の内容】
【００３７】
本技術の第１の側面乃至第４の側面によれば、より高品質な画像を得ることができる。